(57)【要約】【課題】既存機能用スイッチを操作するために、すべての指が割当てられており、新規に設定するスイッチを操作することが困難である。機能選択部を追加構成すると、操作が煩雑になってしまう。【解決手段】複数の駆動可能な光学部材と状態表示手段を有するレンズと、１つ以上の操作部を有するレンズ操作装置を備えたレンズシステムにおいて、前記レンズが有する１つ以上の光学部材の制御状態あるいは状態表示手段の表示に応じて、前記操作部により設定可能な機能を切換える設定機能切換手段を有することを特徴とするレンズシステム。【選択図】図１
2016033568.tif 000002
【特許請求の範囲】
【請求項１】
複数の駆動可能な光学部材と状態表示手段を有するレンズと、１つ以上の操作部を有するレンズ操作装置を備えたレンズシステムにおいて、前記レンズが有する１つ以上の前記光学部材の制御状態あるいは前記状態表示手段の表示に応じて、前記操作部により設定可能な機能を切換える設定機能切換手段を有することを特徴とするレンズシステム。
【請求項２】
前記設定機能切換手段は、タリーランプの状態に応じて、前記操作部により設定可能な機能を切換えることを特徴とする請求項１に記載のレンズシステム。
【請求項３】
前記設定機能切換手段は、像ブレ補正群の制御状態に応じて、前記操作部により設定可能な機能を切換えることを特徴とする請求項１に記載のレンズシステム。
【請求項４】
前記設定機能切換手段は、フォーカスレンズ群の制御状態に応じて、前記操作部により設定可能な機能を切換えることを特徴とする請求項１に記載のレンズシステム。
【請求項５】
前記設定機能切換手段は、リターン機能を像ブレ補正機能に切換えることを特徴とする請求項２に記載のレンズシステム。
【請求項６】
前記設定機能切換手段は、像ブレ補正機能をオートフォーカス機能に切換えることを特徴とする請求項３に記載のレンズシステム。
【請求項７】
前記設定機能切換手段は、オートフォーカス機能を像ブレ補正機能に切換えることを特徴とする請求項４に記載のレンズシステム。
【発明の詳細な説明】
【技術分野】
【０００１】
本発明は、複数の機能を有するズームレンズ装置に関する。
【背景技術】
【０００２】
近年、テレビやモニタなどの大画面化および高画質化がすすみ、映し出される映像に対する高画質化要求が高まっていた。この高画質化要求に応えるべく、放送用ズームレンズでは、像ブレ補正機能やオートフォーカス機能を搭載した高機能ズームレンズが提案されている（特許文献１、２参照）。
【先行技術文献】
【特許文献】
【０００３】
【特許文献１】特開２００２−０４９０６８号公報
【特許文献２】特開平５−０６４０５６号公報
【発明の概要】
【発明が解決しようとする課題】
【０００４】
しかしながら、上記従来のレンズシステムでは、レンズ操作装置に配置されているスイッチが、あらかじめリターン機能やインカム機能、ＩＥ機能等に設定されている。それらのスイッチが配置される位置や、スイッチを操作するために使用する指もすでに決められている場合が多く、また既存機能を廃止することも難しい状況である。よって、新たに配置する像ブレ補正機能用スイッチやオートフォーカス機能用スイッチなどを容易に操作することが困難であり、それに対する対策が望まれていた。
【課題を解決するための手段】
【０００５】
本発明は、複数の駆動可能な光学部材と状態表示手段を有するレンズと、１つ以上の操作部を有するレンズ操作装置を備えたレンズシステムにおいて、前記レンズが有する１つ以上の前記光学部材の制御状態あるいは前記状態表示手段の表示に応じて、前記操作部により設定可能な機能を切換える設定機能切換手段を有することを特徴とする。
【発明の効果】
【０００６】
本発明によれば、新たにスイッチを配置することも、機能を切換えるための操作をすることもなく、容易に像ブレ補正機能やオートフォーカス機能の設定を実施することを可能とする効果が得られる。
【図面の簡単な説明】
【０００７】
【図１】第１の実施例の構成図である。
【図２】第１の実施例の動作を説明するためのフローチャートである。
【図３】第２の実施例の構成図である。
【図４】第２の実施例の動作を説明するためのフローチャートである。
【図５】第３の実施例の構成図である。
【図６】第３の実施例の動作を説明するためのフローチャートである。
【図７】第４の実施例の構成図である。
【図８】第４の実施例の動作を説明するためのフローチャートである。
【図９】第５の実施例の構成図である。
【図１０】第５の実施例の動作を説明するためのフローチャートである。
【図１１】第６の実施例の動作を説明するためのフローチャートである。
【発明を実施するための形態】
【０００８】
以下に、本発明の実施の形態を図面に基づいて詳細に説明する。
【実施例１】
【０００９】
図１は、本発明を適用できる第１の実施例におけるレンズシステムの構成図である。１００はレンズであり、２００はレンズを操作するためのデマンドである。１０１はデマンド２００と通信するためのレンズ通信部であり、１０２はレンズ１００にて撮影している映像が放映されているか否かを表示するタリーランプである。１０３は不図示のレンズ群やタリーランプ１０２を制御するためのレンズ制御部であり、１０４はデマンド２００に配置されたスイッチにより設定する機能を切り換えるための設定機能切換部である。
【００１０】
２０１は不図示のフォーカス群を操作するためのフォーカス操作部であり、２０２は不図示のビューファーに映し出す映像を切り換えるためのリターンスイッチである。２０３はフォーカス操作部２０１やリターンスイッチ２０２の状態に応じて、コマンドやデータを生成するためのデマンド制御部であり、２０４はレンズ１００と通信するためのデマンド通信部である。本実施例では、レンズ制御部１０３と設定機能切換部１０４をレンズＣＰＵ１１０にて実現している。
【００１１】
以下に図２のフローチャートに沿って、レンズＣＰＵ１１０の動作を詳細に説明する。不図示のカメラに電源が投入されると、レンズ１００およびデマンド２００に電源が供給され、レンズＣＰＵ１１０はＳ１０１にすすみ、タリーランプ１０２を消灯するなどのレンズ１００初期化動作を実施する。Ｓ１０２では、所定のコマンドをデマンド２００と送受信して通信の初期化を行い、デマンド２００との通信を開始する。通信を開始したレンズＣＰＵ１１０はＳ１０３にすすみ、レンズ通信部１０１がデマンド２００から受信したコマンドを入力し、かつレンズ通信部１０１にデマンド２００へ送信するアンサーを出力し、Ｓ１０４へすすむ。
【００１２】
Ｓ１０４において、デマンド２００から受信したコマンドがリターンコマンドか否か判断し、リターンコマンドの場合はＳ１０５にすすみ、タリーランプ１０２の状態を判断する。Ｓ１０５において、タリーランプ１０２が点灯している場合は、Ｓ１０６にてリターンコマンドを像ブレ補正コマンドに変更し、Ｓ１０７にすすみコマンド解析を行う。
【００１３】
このようにタリーランプ１０２が点灯し、撮影している映像が放映されている場合、リターンスイッチにより像ブレ補正機能をＯＮ／ＯＦＦすることにより、容易に像ブレ補正機能のＯＮ／ＯＦＦが可能となる。
【００１４】
一方、Ｓ１０５において、タリーランプ１０２が消灯している場合は、何もせずＳ１０７にジャンプする。またＳ１０４においてデマンド２００から受信したコマンドがリターンコマンドではない場合も、何もせずＳ１０７にジャンプする。
【００１５】
つづいて、Ｓ１０８では不図示のズーム部の制御演算を実施し、Ｓ１０９では不図示のフォーカス部の制御演算を、Ｓ１１０では不図示のアイリス部の制御演算を実施する。Ｓ１１１では不図示の像ブレ補正部の制御演算を実施する。タリーＯＮ時にリターンコマンドを受信した際には、このステップにおいて像ブレ補正機能の設定および演算を実行する。そしてＳ１１２でタリーランプ１０２の点灯および消灯を制御する演算を実施する。以後不図示のカメラの電源が切られるまで、Ｓ１０３からＳ１１２を繰り返し実行する。
【実施例２】
【００１６】
図３は、本発明を適用できる第２の実施例におけるレンズシステムの構成図である。図１と同じ構成要素には同じ符号を付したので、説明を省略する。３００はレンズであり、４００はレンズを操作するためのデマンドである。３０１は撮影した被写体の焦点状態を検出するための焦点検出部であり、３０２はレンズ３００に加えられている振動を検出するための振動検出部である。４０１は不図示のズーム群を操作するためのズーム操作部であり、４０２は像ブレ補正機能のＯＮ／ＯＦＦを切り換えるためのＩＳスイッチである。
【００１７】
以下に図４のフローチャートに沿って、本実施例におけるレンズＣＰＵ１１０の動作を詳細に説明する。図２と同じ処理については、同じ符号を付したので説明を省略する。
【００１８】
Ｓ１０１からＳ１０３は図２と同じであるので説明を省略する。Ｓ１０３にすすんだレンズＣＰＵ１１０は、Ｓ２０１においてデマンド４００から受信したコマンドが像ブレ補正コマンドの場合は、Ｓ２０２にすすみ、振動検出部３０２の状態を入力し、パンニング操作が完了しているか否かを判断する。Ｓ２０２において、パンニング操作が完了している場合は、Ｓ２０３で焦点検出部３０１の状態を入力し、撮影している被写体が合焦状態か否かを判断する。Ｓ２０３において、合焦状態ではないと判断した場合は、Ｓ２０４にて、像ブレ補正コマンドをオートフォーカスコマンドに変更し、Ｓ１０７へすすむ。
【００１９】
このように構図を変更するパンニング操作が完了したにも関わらず、被写体に合焦していない場合、像ブレ補正ＯＮ／ＯＦＦスイッチにより、容易にオートフォーカス機能をＯＮ／ＯＦＦすることが可能となる。
【００２０】
一方、Ｓ２０３において合焦状態と判断した場合および、Ｓ２０２においてパンニング操作が完了していないと判断した場合、Ｓ２０１において受信コマンドが像ブレ補正コマンドではない場合は、いずれも何もせずＳ１０７にジャンプする。以後不図示のカメラの電源が切られるまで、Ｓ１０３およびＳ１０７からＳ１１２、Ｓ２０１からＳ２０４を繰り返し実行する。
【実施例３】
【００２１】
図５は、本発明を適用できる第３の実施例におけるレンズシステムの構成図である。図１および図３と同じ構成要素には同じ符号を付したので、説明を省略する。５００はレンズである。５０１は不図示のＩＥ部の位置を検出するためのＩＥ位置検出部である。
【００２２】
以下に図６のフローチャートに沿って、本実施例におけるレンズＣＰＵ１１０の動作を詳細に説明する。図２および図４と同じ処理については、同じ符号を付したので説明を省略する。
【００２３】
Ｓ１０１からＳ１０４は図２と同じであるので説明を省略する。Ｓ１０４にすすみ、受信したコマンドがリターンコマンドの場合はＳ３０１で、ＩＥ位置検出部の状態を入力し、ＩＥが駆動中か否かを判断する。Ｓ３０１において、ＩＥが駆動中の場合は、Ｓ３０２にて、リターンコマンドをオートフォーカスコマンドに変更し、Ｓ１０７にすすむ。
【００２４】
このようにＩＥが駆動している場合、リターンスイッチによりオートフォーカス機能をＯＮ／ＯＦＦすることにより、容易にオートフォーカス機能のＯＮ／ＯＦＦが可能となる。
【００２５】
Ｓ３０１においてＩＥの駆動が完了している場合および、Ｓ１０４において受信したコマンドがリターンコマンドではない場合は、何もせずＳ１０７にジャンプする。Ｓ１０７からＳ１１２は図２と同じであるので説明を省略する。Ｓ１１２にすすんだレンズＣＰＵ１１０は、Ｓ３０３にて不図示のＩＥ部の制御演算を実施する。以後不図示のカメラの電源が切られるまで、Ｓ１０３およびＳ１０４、Ｓ１０７からＳ１１２、Ｓ３０１からＳ３０３を繰り返し実行する。
【００２６】
またリターンコマンドではなく像ブレ補正コマンドを用いても、同様の効果を得ることが可能である。
【実施例４】
【００２７】
図７は、本発明を適用できる第４の実施例におけるレンズシステムの構成図である。図１および図３と同じ構成要素には同じ符号を付したので、説明を省略する。３００は図３と同じレンズであり、２００は図１と同じデマンドである。
【００２８】
以下に図８のフローチャートに沿って、本実施例におけるレンズＣＰＵ１１０の動作を詳細に説明する。図２と同じ処理については、同じ符号を付したので説明を省略する。
Ｓ１０１からＳ１０４は図２と同じであるので説明を省略する。Ｓ１０４にすすみ、受信したコマンドがリターンコマンドの場合はＳ４０１で、像ブレ補正機能がＯＮかＯＦＦかを判断し、ＯＮの場合はＳ４０２にすすみ、不図示の像ブレ補正群がセンタリング中か否かを判断する。Ｓ４０２において、センタリングが完了している場合は、Ｓ４０３で振動検出部３０２の状態を入力し、振動検出部３０２の出力があらかじめ定められた値以下の場合は、Ｓ４０４にてリターンコマンドをオートフォーカスコマンドに変更し、Ｓ１０７にすすむ。
【００２９】
このように構図の変更が完了し、かつレンズ３００に加えられている振動が小さい場合は、リターンスイッチによりオートフォーカス機能をＯＮ／ＯＦＦすることにより、容易にオートフォーカス機能のＯＮ／ＯＦＦが可能となる。
【００３０】
図８の説明に戻る。Ｓ４０３において、振動検出部３０２の出力があらかじめ定められた値より大きい場合および、Ｓ４０２においてセンタリングが完了していない場合は、何もせずＳ１０７にジャンプする。
【００３１】
またＳ４０１において、像ブレ補正機能がＯＦＦの場合はＳ４０５にすすみ、振動検出部３０２の状態を入力する。振動検出部３０２の出力があらかじめ定められた値より大きい場合は、Ｓ４０６にてリターンコマンドを像ブレ補正コマンドに変更し、Ｓ１０７にすすむ。
【００３２】
このように像ブレ補正機能がＯＦＦの場合で、かつレンズ３００に加えられている振動が大きい場合は、リターンスイッチにより像ブレ補正機能をＯＮ／ＯＦＦすることにより、容易に像ブレ補正機能のＯＮ／ＯＦＦが可能となる。
【００３３】
一方、Ｓ４０５において、振動検出部３０２の出力があらかじめ定められた値以下の場合および、Ｓ１０４において、受信したコマンドがリターンコマンドではない場合は、何もせずＳ１０７にジャンプする。以後不図示のカメラの電源が切られるまで、Ｓ１０３およびＳ１０４、Ｓ１０７からＳ１１２、Ｓ４０１からＳ４０６を繰り返し実行する。
【実施例５】
【００３４】
図９は、本発明を適用できる第５の実施例におけるレンズシステムの構成図である。図１および図３と同じ構成要素には同じ符号を付したので、説明を省略する。３００は図３と同じレンズであり、６００はデマンド、６０１はオートフォーカス機能のＯＮ／ＯＦＦを切り換えるためのＡＦスイッチである。
【００３５】
以下に図１０のフローチャートに沿って、本実施例におけるレンズＣＰＵ１１０の動作を詳細に説明する。図２と同じ処理については、同じ符号を付したので説明を省略する。
【００３６】
Ｓ１０１からＳ１０３は図２と同じであるので説明を省略する。Ｓ１０３にすすんだレンズＣＰＵ１１０は、Ｓ５０１においてデマンド６００から受信したコマンドがオートフォーカスコマンドの場合は、Ｓ５０２にすすみ、オートフォーカス機能が有効か無効かを判断する。Ｓ５０２において、オートフォーカス機能が無効の場合は、Ｓ５０３にてオートフォーカスコマンドを像ブレ補正コマンドに変更し、Ｓ１０７にすすむ。
【００３７】
このようにオートフォーカス機能が無効の場合、ＡＦスイッチ６０１により像ブレ補正機能をＯＮ／ＯＦＦすることにより、容易に像ブレ補正機能のＯＮ／ＯＦＦが可能となる。
【００３８】
一方、Ｓ５０２においてオートフォーカス機能が有効の場合および、Ｓ５０１において受信したコマンドがオートフォーカスコマンドではない場合は、何もせずＳ１０７にすすむ。
【００３９】
以後、不図示のカメラの電源が切られるまで、Ｓ１０３およびＳ１０４、Ｓ１０７からＳ１１２、Ｓ５０１からＳ５０３を繰り返し実行する。
【実施例６】
【００４０】
本発明を適用できる第６の実施例におけるレンズシステムの構成は、図２と同じである。以下に図１１のフローチャートに沿って、本実施例におけるレンズＣＰＵ１１０の動作を詳細に説明する。図２と同じ処理については、同じ符号を付したので説明を省略する。
【００４１】
Ｓ１０１からＳ１０３は図２と同じであるので説明を省略する。Ｓ１０３にすすんだレンズＣＰＵ１１０は、Ｓ６０１においてデマンド４００から受信したコマンドが像ブレ補正コマンドの場合は、Ｓ６０２にすすみ、像ブレ補正機能が有効か無効かを判断する。Ｓ６０２において、像ブレ補正機能が無効の場合は、Ｓ６０３にて像ブレ補正コマンドをオートフォーカスコマンドに変更し、Ｓ１０７にすすむ。
【００４２】
このように像ブレ補正機能が無効の場合、ＩＳスイッチ４０２によりオートフォーカス機能をＯＮ／ＯＦＦすることにより、容易にオートフォーカス機能のＯＮ／ＯＦＦが可能となる。
【００４３】
一方、Ｓ６０２において像ブレ補正機能が有効の場合および、Ｓ６０１において受信したコマンドが像ブレ補正コマンドではない場合は、何もせずＳ１０７にすすむ。
【００４４】
以後、不図示のカメラの電源が切られるまで、Ｓ１０３およびＳ１０４、Ｓ１０７からＳ１１２、Ｓ６０１からＳ６０３を繰り返し実行する。
【符号の説明】
【００４５】
１００  レンズ、１０１  レンズ通信部、１０２  タリーランプ、
１０３  レンズ制御部、１０４  設定機能切換部、１１０  レンズＣＰＵ、
２００  デマンド、２０１  フォーカス操作部、２０２  リターンスイッチ、
２０３  デマンド制御部、２０４  デマンド通信部
【図１】
2016033568.tif 000003
【図２】
2016033568.tif 000004
【図３】
2016033568.tif 000005
【図４】
2016033568.tif 000006
【図５】
2016033568.tif 000007
【図６】
2016033568.tif 000008
【図７】
2016033568.tif 000009
【図８】
2016033568.tif 000010
【図９】
2016033568.tif 000011
【図１０】
2016033568.tif 000012
【図１１】
2016033568.tif 000013